(57)【特許請求の範囲】
【請求項１】
装置本体の筐体に設置される原稿台ガラス上に載置された原稿を照明するための光源と、
前記光源により照射された原稿からの光を読み取る読取手段と、
前記原稿からの光を前記読取手段に結像させるための結像手段と、
前記光源と前記結像手段とのうちの少なくとも１つを摺動可能にする摺動面を有するレール部材と、を備えた走査装置において、
前記レール部材の前記摺動面が摺動抵抗を抑える抵抗抑制部材を設けて構成され、
前記装置本体の筐体に、前記摺動面の前記抵抗抑制部材と接触して前記レール部材を位置決めする位置決め部が設けられている
ことを特徴とする走査装置。
【請求項２】
前記抵抗抑制部材は、前記レール部材の前記原稿台ガラス側に設けられていることを特徴とする請求項１に記載の走査装置。
【請求項３】
前記位置決め部には、前記レール部材の位置を調整する位置調整機構が設けられていることを特徴とする請求項１または２に記載の走査装置。
【請求項４】
前記レール部材は、前記抵抗抑制部材と結合されたレールを有し、
前記抵抗抑制部材が前記位置決め部と接触した状態で前記レールが前記筐体に固定されることで、前記レール部材が前記筐体に取り付けられることを特徴とする請求項１乃至３のいずれか１項に記載の走査装置。
【請求項５】
請求項１乃至４のいずれか１項に記載の走査装置を備え、
前記走査装置で得られた画像情報に基づいた光束を、像担持体面上に導光して前記像担持体を走査し、前記像担持体上に形成された静電潜像を現像して得られたトナー画像を転写材に転写する
ことを特徴とする画像形成装置。
【発明の詳細な説明】
【０００１】
【発明の属する技術分野】
本発明は、シート等の転写材（記録媒体）上に画像を形成する機能を備えた、例えば、複写機、プリンタ、あるいは、ファクシミリ装置などの画像形成装置に関し、特に、これらの装置に備えられる走査装置に関するものである。
【０００２】
【従来の技術】
従来、この種の画像形成装置においては図６に示される様な、移動光学走査手段を配設し、かつ装置本体の主要画像形成手段や部品、例えばドラムカートリッジ、カートリッジ支持ユニット、定着装置、給紙ガイド及び各種カバー類等をあらかじめ設定された位置へ固定配置する為の本体フレームが使用されていた。
【０００３】
前記本体フレームは表面処理鋼板（ジンコート鋼板あるいはボンデ鋼板等）を折り曲げ、各角部において、溶接あるいはビスによる締結手段で強度を保持したメインフレーム１３０を母体にして、図示されない内部部品の組立時に組立容易性の為、別体構成となった側板１３１が内部部品組付後、ビス締結して取り付けられる。
【０００４】
さらに、移動光学走査手段には光学機構部品である不図示の移動走査体（ミラー台）と、これを滑らかに移動支持可能にする光学レール１３３及びその抜け止め１３４が組み込まれている。
【０００５】
また、レンズユニット１４０及びレンズユニット移動用レール１４１、その他の光学部品（図示せず）があらかじめ調整固定され、画像トラブルの原因を作るフレア防止の為に黒色に彩色されたレンズ台１３２が前記メインフレーム１３０の下方からレンズ台１３２の側面部をメインフレーム１３０の所定位置へ配置した後、ビス等で固定されている。
【０００６】
そして、光学機構部品や、レンズユニット１４０以外の画像形成を行う主要部品、ユニットは、前述のレンズ台１３２組込み工程終了後、メインフレーム１３０の両側面１３０ａ，１３０ｂを固定面として、メインフレーム１３０の下方へ固定される。
【０００７】
【発明が解決しようとする課題】
ところで、読み取り光学系に短焦点レンズアレイや第１、第２、第３ミラーとレンズ及び受光素子（光電変換素子）を１ＢＯＸに収納した被写体深度の浅い光学系を用いた場合、原稿台ガラスと読み取り光学系との距離の調整はシビアなものとなる。
【０００８】
さらに近年、レールには摩擦抵抗を下げるために薄い板状の特殊部材が貼られるようになった。
【０００９】
そのため、レール１０３は原稿台ガラス１０２と読み取り光学系１０４との距離を規制するまでに部品点数が増すこととなり公差が増し、さらに一定にさせることを困難とさせた。
【００１０】
本発明は上記の従来技術の課題を解決するためになされたもので、その目的とするところは、生産性の向上及び保守メンテナンスにおいて作業性を向上させた画像品位の高い走査装置、及び画像形成装置を提供することにある。
【００１１】
【課題を解決するための手段】
上記目的を達成するために本発明にあっては、
装置本体の筐体に設置される原稿台ガラス上に載置された原稿を照明するための光源と、
前記光源により照射された原稿からの光を読み取る読取手段と、
前記原稿からの光を前記読取手段に結像させるための結像手段と、
前記光源と前記結像手段とのうちの少なくとも１つを摺動可能にする摺動面を有するレール部材と、を備えた走査装置において、
前記レール部材の前記摺動面が摺動抵抗を抑える抵抗抑制部材を設けて構成され、
前記装置本体の筐体に、前記摺動面の前記抵抗抑制部材と接触して前記レール部材を位置決めする位置決め部が設けられている
ことを特徴とする。
【００１２】
前記抵抗抑制部材は、前記レール部材の前記原稿台ガラス側に設けられていることも好適である。
【００１３】
前記位置決め部には、前記レール部材の位置を調整する位置調整機構が設けられていることも好適である。
【００１４】
画像形成装置にあっては、上記記載の走査装置を備え、前記走査装置で得られた画像情報に基づいた光束を、像担持体面上に導光して前記像担持体を走査し、前記像担持体上に形成された静電潜像を現像して得られたトナー画像を転写材に転写することを特徴とする。
【００１５】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１６】
（実施の形態１）
図１〜図３を参照して、実施の形態１に係る走査装置について説明する。図１は本実施の形態に係る走査装置を示す概略斜視図であり、図３は本実施の形態に係る画像形成装置を示す概略断面図である。
【００１７】
図３に示したように、画像形成装置Ａは、走査装置としてのスキャナ部Ｂで得られた画像情報に基づいたレーザーをレーザースキャナ３９によって発射し、プロセスカートリッジに内蔵された像担持体としての感光ドラム上にレーザーを照射する。
【００１８】
以下に、画像形成手段１０による画像形成動作について説明する。
【００１９】
感光ドラム上には潜像が形成され、プロセスカートリッジによって、この潜像がトナーにより現像化される。
【００２０】
一方、シート積載板上に積載されたシートが、給送ローラ、および、分離パッドによって一枚づつ分離されながら給送され、各搬送ローラによって、さらに下流側に搬送され、この搬送されたシート上に、上述の感光ドラム上に形成されたトナーによる現像が転写手段によって転写される。
【００２１】
そして、この未定着のトナー像が形成されたシートは、さらに下流側に搬送され、定着手段によってトナー像が定着されて、その後、排出ローラによって機外に排出される。
【００２２】
図に示すように、スキャナ部Ｂは、走査系光源３１、原稿台ガラスとしてのプラテンガラス３２、画像形成装置Ａ本体に対して開閉可能な原稿圧板３３、結像手段としての第１ミラー３４，第２ミラー３５，第３ミラー３６、レンズ３７、および受光素子（光電変換素子）３８および画像処理部などを有して構成されている。
【００２３】
読取手段３０は第１ミラー３４、第２ミラー３５、第３ミラー３６、レンズ３７、及び受光素子（光電変換素子）３８により構成される。
【００２４】
そして、使用者は、プラテンガラス３２上に本や厚紙、カール紙等のブック原稿やシート状原稿などの原稿面を下側（プラテンガラス３２側）にして載置する。
【００２５】
原稿圧板３３により原稿の背面を押圧して静止状態でセットし、読取開始キーを押すと、走査系光源３１がプラテンガラス３２の下部を矢印ａ方向に走査して原稿面の画像情報が読み取られる。
【００２６】
第１ミラー３４により走査された原稿の画像情報は第２ミラー３５、第３ミラー３６を経てレンズ３７によって受光素子３８上に投影されて、画像情報が読み取られ、画像処理部で処理され、電気信号に変換されてレーザースキャナ３９に伝送される。
【００２７】
ここで、第１ミラー３４を収納する第１ミラー台ユニット４１と第２，３ミラー３５，３６を収納する第２ミラー台ユニット４２とは、レール部材としてのガイドユニット５３の摺動面を副走査方向に摺動される。
【００２８】
このガイドユニット５３には、ガイド５１と、摺動面に設けられて摺動抵抗を下げるための抵抗抑制部材としての特殊な摺動板５２とが両面テープや接着剤等の結合材で結合されている。
【００２９】
また、スキャナＢ部を収納する筐体は上フレーム４６と下フレーム４７とで構成されている。
【００３０】
そして、下フレーム４７には図１中Ｃに示すような形状の穴が空いている。
【００３１】
図２は、図１のＣ部を示す概略図であり、（ａ）はＣ部を正面から見た図であり、（ｂ）は（ａ）の側面図である。
【００３２】
図２に示すように、下フレーム４７には、穴４８が設けられており、穴４８が設けられることにより凸部４９が設けられる。凸部４９は、穴４８に差し込まれたガイドユニット５３の摺動板５２を位置決めする位置決め部を構成するものであり、筐体の下フレーム４７において、上フレーム４６のプラテンガラス３２のガラス設置部に対して精度良く形成されている。
【００３３】
以下に、ガイドユニット５３をスキャナ部Ｂに取り付ける作業手順を説明する。
【００３４】
まず、下フレーム４７に設けられた穴４８にガイドユニット５３の端部が差し込まれる。
【００３５】
そして、ガイドユニット５３の端部が、穴４８に差し込まれた後、基準となる凸部４９にガイドユニット５３の摺動板５２が当てられ、摺動板５２が当てられたまま、図２に示すように、ねじ穴からレールを呼び込むようにねじ締めが行われる（下フレーム４７の内面にガイドユニット５３が取付けられる）。
【００３６】
その後内蔵ユニットが収納され、最後に上フレーム４６を上からかぶせた状態で上フレーム４６と下フレーム４７との間でねじ締めが行われる。
【００３７】
これにより、プラテンガラス３２の原稿面位置からガイドユニット５３までの高さを制限するために構成される部品点数を減らすことが可能となり、プラテンガラス３２からガイドユニット５３までの位置精度を向上させることが可能となる。
【００３８】
さらに、プラテンガラス３２のガラス面に対する、ガイドユニット５３のレール面の位置精度の向上により、画像が良好となり、高品質の装置を提供することが可能となる。
【００３９】
また、レールを一度解体するようなことが発生しても、凸部４９にガイドユニット５３の摺動板５２を当ててネジ止めすればよいので、再現性も確保できるようになり、メンテナンスも容易となる。
【００４０】
また、従来のように組立時に手順を規制する必要がない。
【００４１】
（実施の形態２）
図４〜図５には、実施の形態２が示されている。本実施の形態では、実施の形態１に対して、高さ方向の位置を調整可能な位置調整機構を設けたものである。スキャナ部Ｂへの内蔵物は実施の形態１で示した通りであり、本実施の形態では、レール端部の高さ方向を規制する箇所に特定して説明する。なお、実施の形態１と同様の構成部分については同一の符号を付して、その説明は省略する。
【００４２】
図４は本実施の形態に係る走査装置の要部を示す概略斜視図であり、図５は図４の要部を示す概略図であり、（ａ）は正面から見た図、（ｂ）は（ａ）の側面図である。
【００４３】
まず最初に、所定中心位置に、高さ位置決め板６１を下フレーム４７に固定する。
【００４４】
高さ位置決め板６１には、長穴が２箇所設けられており、一方の長穴は下フレーム４７に設けられた凸部５０に係合する長穴６２であり、他方の長穴は下フレーム４７に高さ位置決め板６１を固定するためのビス６３に対して係合する。ここで、高さ位置決め板６１と、凸部５０と、ビス６３とにより位置調整機構は構成される。
【００４５】
その後、ガイドユニット５３を高さ位置決め板６１に突き当てる。
【００４６】
次に、第１ミラー３４，第２ミラー３５，第３ミラー３６を移動させて、傾きや同期の調整をホームポジションで行い、その後主走査センターずれの補正を行う。これは、プラテンガラス３２の（読み取り）ガラス面から受光素子３８までの距離がずれることによって発生するものであり、これを高さ位置決め板６１の調整にて行うものである。
【００４７】
その後、摺動板５２の上面（摺動面）を下フレーム４７に設けられた高さ位置決め板６１に突き当てた状態で下フレーム４７に押し付けてビス固定する。これにより主走査センターずれも直すことが可能となる。
【００４８】
【発明の効果】
以上説明したように、本発明によれば、原稿台ガラスとレール部材との位置精度を高めることが可能となる。従って、画像品質を向上させることが可能となる。
【００４９】
また、レール部材を一度解体するような場合においても再現性も確保することができ、メンテナンスも容易となる。
【図面の簡単な説明】
【図１】本発明の実施の形態１に係る走査装置を示す概略斜視図である。
【図２】図１のＣ部を示す概略図であり、（ａ）はＣ部を正面から見た図、（ｂ）は（ａ）の側面図である。
【図３】本発明の実施の形態１に係る画像形成装置を示す概略断面図である。
【図４】本発明の実施の形態２に係る走査装置の要部を示す概略斜視図である。
【図５】図４の要部を示す概略図であり、（ａ）は正面から見た図、（ｂ）は（ａ）の側面図である。
【図６】従来技術を説明するための概略図である。
【符号の説明】
１０  画像形成手段
３０  読取手段
３１  走査系光源
３２  プラテンガラス
３３  原稿圧板
３４  第１ミラー
３５  第２ミラー
３６  第３ミラー
３７  レンズ
３８  受光素子（光電変換素子）
３９  レーザースキャナ
４１  第１ミラー台ユニット
４２  第２ミラー台ユニット
４６  上フレーム
４７  下フレーム
４８  穴
４９  凸部
５０  凸部
５１  ガイド
５２  摺動板
５３  ガイドユニット
６１  高さ位置決め板
６２  長穴
６３  ビス
Ａ  画像形成装置
Ｂ  スキャナ部
【図１】
0004143309.tif 000002
【図２】
0004143309.tif 000003
【図３】
0004143309.tif 000004
【図４】
0004143309.tif 000005
【図５】
0004143309.tif 000006
【図６】
0004143309.tif 000007